(57)【要約】【課題】  栽培ベンチを覆うプラスチックシートを外した時に、このベンチの両側でプラスチックシートを収納して地面に触れることがなく、病虫害の発生や、日光の透過率の低下を防止し、シートの交換頻度を少なくすることができると共に、作業性を向上させ、更にいちごを栽培する場合の房折れを防止することができる栽培ベンチ用シートおよび紐保持具を提供するものである。【解決手段】栽培ハウス内に設置される栽培ベンチ５を構成する支柱１に取付ける保持具１４であって、プラスチックで形成され、前記支柱１に着脱自在に取付けられる半割円筒状の支柱取付部１５と、この上部にシート収納部１６となるＪ形状のアーム１７を取付け、この先端に上部紐通しリング１８を形成し、前記Ｊ形状のアーム１７の下方に位置して支柱取付部１５の下部に取外しレバー１９を横方向に突設したものである。【選択図】  図１
0003133213.tif 000002
【実用新案登録請求の範囲】
【請求項１】
栽培ハウス内に設置される栽培ベンチを構成する支柱に取付ける保持具であって、プラスチックで形成され、前記支柱に着脱自在に取付けられる半割円筒状の支柱取付部と、この上部にシート収納部となるＪ形状のアームを取付け、このアームの先端に上部紐通しリングを形成し、前記Ｊ形状のアームの下方に位置して支柱取付部の下部に取外しレバーを横方向に突設したことを特徴とする栽培ベンチ用シートおよび紐保持具。
【請求項２】
取外しレバーを下方に湾曲して形成し、この下端に下部紐通しリングを形成したことを特徴とする請求項１記載の栽培ベンチ用シートおよび紐保持具。
【考案の詳細な説明】
【技術分野】
【０００１】
本考案は、栽培ベンチ用シートおよび紐保持具に関するものである。
【背景技術】
【０００２】
近年、いちごなどの果物や野菜、花などを栽培ハウスで栽培することが盛んに行なわれるようになってきた。このため、栽培の過程で作物に合わせて日光の量や、湿度、温度をきめ細かく管理する必要があると共に、生長する茎や房などを保持する必要がある。
【０００３】
例えば、図７に示すようにパイプで形成された支柱１と梁材２とでベンチ架台３を形成し、その長手方向に沿って所定の間隔でシート支持フレーム４を取付けて栽培ベンチ５が構成されている。このベンチ架台３の上に、苗６を植えたポット７を並べて、夜間は温度の低下を防ぐために図８に示すように、シート支持フレーム４の上にプラスチックシート８を被せて苗６を覆い、昼間は図７に示すように、プラスチックシート８を外して日光を照射するようにしている。
【０００４】
このプラスチックシート８を取外したり、被せたりする作業は手間がかかり、通常は２人程度で朝晩行なっている。取外したプラスチックシート８は、図７に示すように、栽培ベンチ５の両側に広げて垂れ下げておく。このためプラスチックシート８の先端が地面９に接触して土が付着して汚れる問題があり、また作業者が踏み付けることにより更に汚れる。
【０００５】
このように土が付着して汚れたプラスチックシート８で栽培ベンチ５の上を覆うと、土に付着した雑菌が苗６に落下して病虫害の原因となる上、日光の透過率が低下し、また踏み付けて汚れるため寿命も短かくなり、年に２回程度交換しなければならず、そのコストも膨大であった。また先端が地面９に接触しているプラスチックシート８を持ち上げて栽培ベンチ５を覆う場合、腰をかがめて先端をつかんで持ち上げるので腰に負担が掛かり重労働となっていた。
【０００６】
また、いちごを栽培する場合には、房が生長してきて、これが伸びるといちごの重みで房が折れる問題がある。このため従来は、図９に示すように栽培ベンチ５を構成する支柱１に、両端を折曲した針金で形成した紐保持具１０を横方向に取付けて、ここに紐１１を掛け廻しながら取付け、生長してきた房１２を紐１１で保持して、房折れを防止していた。
【０００７】
しかしながら、この針金で形成した紐保持具１０は、通路側に横方向に突設しているため、作業者の服に当って服が破けたり、また紐１１は単に掛け廻しただけなので、位置がずれて房１２を支持できない部分が生じるなどの問題があった。また栽培容器の縁にプラスチックで成型された枕状のブロックを取付け、このブロックで房１２を支持することも行なわれているが、ブロックの成型コストが高く、また嵩張るため保管にも不便な問題があった。
【考案の開示】
【考案が解決しようとする課題】
【０００８】
本考案は上記問題を改善し、栽培ベンチを覆うプラスチックシートを外した時に、このベンチの両側でプラスチックシートを収納して地面に触れることがなく、土の付着による病虫害の発生や、日光の透過率の低下を防止し、シートの交換頻度を少なくすることができると共に、作業性を向上させ、更にいちごを栽培する場合の房折れを防止することができる栽培ベンチ用シートおよび紐保持具を提供するものである。
【課題を解決するための手段】
【０００９】
本考案の請求項１記載の栽培ベンチ用シートおよび紐保持具は、栽培ハウス内に設置される栽培ベンチを構成する支柱に取付ける保持具であって、プラスチックで形成され、前記支柱に着脱自在に取付けられる半割円筒状の支柱取付部と、この上部にシート収納部となるＪ形状のアームを取付け、このアームの先端に上部紐通しリングを形成し、前記Ｊ形状のアームの下方に位置して支柱取付部の下部に取外しレバーを横方向に突設したことを特徴とするものである。
【００１０】
本考案の請求項２記載の栽培ベンチ用シートおよび紐保持具は、請求項１において、取外しレバーを下方に湾曲して形成し、この下端に下部紐通しリングを形成したことを特徴とするものである。
【考案の効果】
【００１１】
本考案に係る請求項１記載の栽培ベンチ用シートおよび紐保持具によれば、プラスチックシートを保持する場合、支柱に支柱取付部を横方向から押し込んで固定する。夜間は温度の低下を防ぐために、栽培ベンチの上に被せていたプラスチックシートを、朝方になったら栽培ベンチの両側に外して、その片側を保持具のＪ形状のアームに形成されたシート収納部に収納できるので、プラスチックシートの下端が地面に接触して土が付着して汚れることがなく、雑菌による病虫害の発生を防止できると共に、日光の透過率が低下せず、シート寿命を長くして維持コストを安くすることができる。
【００１２】
またプラスチックシートを栽培ベンチの高い位置に取付けたシート収納部に収納しておくので、腰をかがめることなく立ったままの姿勢で開閉作業を行なうことができ、また保持具を支柱から取外す場合には、取外しレバーを手に持って手前に引けば、容易に取外すことができる。
【００１３】
また本考案の保持具を用いて、いちごの房折れを防止する場合、栽培ベンチを構成する支柱に、所定の間隔で半割円筒状をなす支柱取付部を横方向から押し込んで固定し、Ｊ形状のアームの先端に形成した上部紐通しリングに紐を順次通して、この紐に生長してきた房を保持して房折れを防止することができる。
【００１４】
また請求項２記載の栽培ベンチ用シートおよび紐保持具によれば、取外しレバーを下方に湾曲して形成し、この下端に下部紐通しリングを形成したので、ベンチ架台の下に取付けたプラスチックシートを紐で束ねて、この紐を下部紐通しリングに通して支持することにより、シートを高い位置で保持することができる
【考案を実施するための最良の形態】
【００１５】
以下本考案の実施の一形態を図１ないし図３を参照して詳細に説明する。図において１４は栽培ベンチ用シートおよび紐保持具を示すもので、ポリプロピレンなどのプラスチックで形成され、半割円筒状の支柱取付部１５と、この上部にシート収納部１６となるＪ形状のアーム１７を取付け、このアーム１７の先端に上部紐通しリング１８を形成すると共に、前記Ｊ形状のアーム１７の下方に位置して支柱取付部１５の下部に下方に湾曲して取外しレバー１９を横方向に突設し、更にこの下端に下部紐通しリング２０を一体に形成したものである。また支柱取付部１５と、Ｊ形状のアーム１７および取外しレバー１９の側面には補強用リブ２１が形成されている。
【００１６】
上記構成の栽培ベンチ用シートおよび紐保持具１４を用いてプラスチックシート８を保持する場合について図２を参照して説明する。栽培ハウス内に設置されている栽培ベンチ５は、パイプで形成された支柱１と梁材２でベンチ架台３を形成し、その長手方向に沿って所定の間隔でシート支持フレーム４を取付けて栽培ベンチ５が構成されている。この支柱１の上部に、栽培ベンチ用シートおよび紐保持具１４の半割円筒状をなす支柱取付部１５を、横方向から押し込んで栽培ベンチ５に固定する。
【００１７】
このベンチ架台３の上には、苗６を植えたポット７を並べて、夜間は温度の低下を防ぐために、シート支持フレーム４の上にプラスチックシート８を被せて苗６を覆い、温度の低下を防止する。また朝になると、プラスチックシート８を両側に外して、図３に示すように、その片側を保持具１４のＪ形状のアーム１７に形成されたシート収納部１６に収納する。
【００１８】
このようにプラスチックシート８を保持具１４のシート収納部１６に収納しておくので、従来のようにプラスチックシート８の下端が地面９に接触して土が付着して汚れることがなく、雑菌による病虫害の発生を防止できると共に、日光の透過率が低下せず、シート寿命が長くなり２年に１回程度の交換で済み、その維持コストも安い。
【００１９】
またプラスチックシート８は支柱１の高い位置に取付けたシート収納部１６に収納しておくので、腰をかがめることなく立ったままの姿勢で開閉作業を行なうことができる。また栽培ベンチ用シートおよび紐保持具１４を支柱１から取外す場合には、取外しレバー１９を手に持って手前に引けば、容易に取外すことができる。
【００２０】
また図４に示すように、ベンチ架台３の下に温水管２３を通し、この両側をプラスチックシート８で覆って、栽培ベンチ５を加熱する構造のものがある。この栽培ベンチ５で、ベンチ架台３の下を清掃する場合や、通気を行なう場合には、取外しレバー１９の下端に取付けた下部紐通しリング２０に紐１１を通し、この紐１１で束ねたプラスチックシート８を結ぶことにより、高い位置に保持することができる。
【００２１】
次に上記構成の栽培ベンチ用シートおよび紐保持具１４を用いて、いちごの房折れ防止を行なう場合について説明する。図５および図６に示すように、いちご１３の苗６を植えた培地容器２５をベンチ架台３に載せて、栽培ベンチ５を構成する支柱１に、所定の間隔で保持具１４の半割円筒状をなす支柱取付部１５を横方向から押し込んで固定する。次にＪ形状のアーム１７の先端に形成した上部紐通しリング１８に紐１１を順次通して、栽培ベンチ５に沿って紐１１を張り渡す。
【００２２】
この状態で、生長してきた房１２を紐１１で保持して房折れを防止し、先端のいちご１３を保護する。紐１１は上部紐通しリング１８に通して保持されているので、紐１１の位置ずれを防止できると共に、アーム１７はＪ形状に形成され、その先端に上部紐通しリング１８が形成されているので、ここが作業者の服に当っても服が破けることがなく、作業の邪魔にならない。
【００２３】
なお上記説明では、上部紐通しリング１８と下部紐通しリング２０に紐１１を通した場合について示したが、ワイヤーを通しても良い。また保持具１４の半割円筒状をなす支柱取付部１５にビス孔を設けて、支柱１にビスで確実に固定するようにした構造でも良い。
【図面の簡単な説明】
【００２４】
【図１】本考案の実施の一形態による栽培ベンチ用シートおよび紐保持具の斜視図である。
【図２】図１の保持具を栽培ベンチに取付けて、プラスチックシートで覆った状態を示す正面図である。
【図３】図２の保持具のシート収納部にプラスチックシートを保持した状態を示す正面図である。
【図４】本考案の他の実施の形態による栽培ベンチの下部に取付けたプラスチックシートを取外しレバーの下部紐通しリングに紐で支持した状態を示す正面図である。
【図５】本考案の異なる他の実施の形態による、いちごの房折れ防止用の紐を保持具に取付けた状態を示す断面図である。
【図６】図５の要部を拡大して示す斜視図である。
【図７】従来の栽培ベンチに取付けたプラスチックシートを広げた状態を示す正面図である。
【図８】図７の栽培ベンチをプラスチックシートで覆った状態を示す正面図である。
【図９】従来の両端を折曲した針金で形成した紐保持具に紐を掛けて房折れを防止している状態を示す斜視図である。
【符号の説明】
【００２５】
１    支柱                                                  
２    梁材                                                  
３    ベンチ架台                                            
４    シート支持フレーム                                    
５    栽培ベンチ                                            
６    苗                                                    
７    ポット                                                
８    プラスチックシート                                    
９    地面                                                  
１０  紐保持具                                              
１１  紐                                                    
１２  房                                                    
１３  いちご                                                
１４  栽培ベンチ用シートおよび紐保持具                      
１５  支柱取付部                                            
１６  シート収納部                                          
１７  Ｊ形状のアーム                                        
１８  上部紐通しリング                                      
１９  取外しレバー                                          
２０  下部紐通しリング                                      
２１  補強用リブ                                            
２３  温水管      
【図１】
0003133213.tif 000003
【図２】
0003133213.tif 000004
【図３】
0003133213.tif 000005
【図４】
0003133213.tif 000006
【図５】
0003133213.tif 000007
【図６】
0003133213.tif 000008
【図７】
0003133213.tif 000009
【図８】
0003133213.tif 000010
【図９】
0003133213.tif 000011